(57)【特許請求の範囲】
【請求項１】
配電盤キャビネットであって、鉛直方向に延びるフレーム成形材と水平方向に延びるフレーム成形材とを有したフレーム枠を有しており、該フレーム枠は、鉛直方向に延びる４つのフレーム枠側面を有しており、これらのフレーム枠側面のうちの少なくとも１つが側方被覆材によって閉じられていて、該側方被覆材は、このフレーム枠側面に面した２つのフレーム成形材の外面に固定されており、この側方被覆材に対して間隔をおいて、配電盤キャビネットの内室側に、プレート状の組み付け壁が、鉛直方向に延びる前記２つのフレーム成形材に取り付けられていて、前記側方被覆材とともにケーブル設置室を形成し、この場合、組み付け壁が解離可能に、このフレーム枠側面の鉛直方向に延びる前記２つのフレーム成形材に固定されている形式のものにおいて、
組み付け壁（４０）が、フレーム枠側面の鉛直方向に延びる２つのフレーム成形材（１１）の間に配置されており、この場合、プレート状の組み付け壁（４０）の鉛直方向に延びる辺が、これらのフレーム成形材（１１）に対して間隔をおいて位置していて、ケーブル縁部貫通案内部を開放しており、
組み付け壁（４０）が、面している鉛直方向に延びるフレーム成形材（１１）に保持体（５０）によって固定されていて、ケーブル縁部貫通案内部の幅を変更するために保持体（５０）に沿って水平方向に可動であることを特徴とする、配電盤キャビネット。
【請求項２】
前記組み付け壁（４０）の少なくとも１つの水平方向の辺が、向かい合って位置するフレーム枠側面の水平方向に延びるフレーム脚（１２）に対して間隔をおいて位置していて、ケーブル縁部貫通案内部（４５）を形成しており、組み付け壁（４０）が保持体（５０）に沿って鉛直方向でも可動である、請求項１記載の配電盤キャビネット。
【請求項３】
組み付け壁（４０）が、扁平な壁区分を有しており、該壁区分には、均一なピッチで互いに間隔をおいて配置された、ケーブルコネクタ保持部分（４２）及び／又はねじ受容部から成る格子が形成されている、請求項１または２記載の配電盤キャビネット。
【請求項４】
ケーブル縁部貫通案内部（４４，４５）を変更するために、保持体（５０）または組み付け壁（４０）が、種々異なる固定位置に対応配置された複数の固定受容部（５５）を有している、請求項１から３までのいずれか１項記載の配電盤キャビネット。
【請求項５】
保持体（５０）がプレート状の固定区分（５１）を有しており、該固定区分（５１）が組み付け壁（４０）にねじ固定されていて、
フレーム成形材（１１）に面したこの固定区分（５１）にフランジ（５２）が続いていて、該フランジ（５２）が、フレーム成形材（１１）の向かい合うフレーム成形材側面（１１．１，１１．２）に接していて、
このフランジ（５２）の一部が、前記成形材側面（１１．１，１１．２）に向かって屈曲されていて、この屈曲部がフック（５３）を形成しており、このフック（５３）が成形材側面（１１．１，１１．２）のスリット状の固定受容部（１１．３）に掛止されている、請求項４記載の配電盤キャビネット。
【請求項６】
保持体（５０）として、一貫した水平方向に延びる組み付けレールを使用し、この組み付けレールは、フレーム枠側面の向かい合う両フレーム成形材（１１）に固定されていて、
この組み付けレールに、組み付け壁（４０）が固定されている、請求項４記載の配電盤キャビネット。
【請求項７】
組み付け壁（４０）がその鉛直方向に延びる２つの辺のうちの一方で、対応する鉛直のフレーム成形材に接続されている、請求項１から６までのいずれか１項記載の配電盤キャビネット。
【請求項８】
組み付け壁（４０）が少なくとも１つのケーブル貫通案内部を有しており、該ケーブル貫通案内部は、配電盤キャビネット内室と、側方被覆材（３０）と組み付け壁（４０）との間に形成されたケーブル取り付け空間との間を接続する、請求項１から７までのいずれか１項記載の配電盤キャビネット。
【発明の詳細な説明】
【０００１】
本発明は、配電盤キャビネットであって、鉛直のフレーム成形材を有したフレーム枠を有しており、フレーム枠の少なくとも１つのフレーム枠側面に、側方被覆材が、前記フレーム枠側面に配属された２つの鉛直なフレーム成形材に取り付けられていて、側方被覆材に対して間隔をおいて、配電盤キャビネット内室に面して組み付け壁が配置されており、組み付け壁と、側方被覆材との間にケーブル取り付け空間が形成されていて、組み付け壁は保持体によって解離可能にフレーム枠に固定されている形式のもに関する。
【０００２】
このような配電盤キャビネットはドイツ連邦共和国特許第１９５０７７２８号明細書により公知である。この場合、組み付け壁として、配電盤キャビネットの背面側の側方被覆材に対して間隔をおいて配置されている組み付けプレートが使用される。この組み付けプレートをフレーム枠に取り付けるためには、配電盤キャビネットのベース領域にガイドレールが組み込まれる。このガイドレールは、配電盤キャビネットの奥行き方向で延びている。組み付けプレートは、底面側の滑動部材で組み付けレールに載着され、このレールに沿って摺動することができる。
【０００３】
同様の装置が、ドイツ連邦共和国特許第１９５１１６３９号明細書により公知である。この場合、組み付けプレートは配電盤キャビネットの側方から、即ち配電盤キャビネットの横方向で摺動する。
【０００４】
先行技術によればドイツ連邦共和国特許第１９６２９４２２号明細書に示されたような組み付けレールも公知である。組み付けレールは、組み付け壁を有しており、該組み付け壁の長手方向の端部からは保持体が屈曲されている。この保持体により、組み付けレールは、配電盤キャビネットの側面の、２つの鉛直方向のフレーム成形材に固定することができる。
【０００５】
本発明の課題は、冒頭で述べた形式の配電盤キャビネットを改良して、ケーブルまたはケーブル支持体のガイドおよび配置を整然と形成することができ、この場合、ケーブルのガイドには種々の可能性があるような配電盤キャビネットを提供することである。
【０００６】
この課題を解決するための本発明の構成では、組み付け壁が、フレーム枠側面の鉛直のフレーム成形材の間に配置されており、組み付け壁の少なくとも１つの鉛直面と、これに対応配置された鉛直のフレーム成形材との間にケーブル縁部貫通案内部が形成されていて、組み付け壁が、保持体において、鉛直のフレーム成形材に対して相対的に、水平方向でずらすことができるようにした。
【０００７】
本発明によるケーブル縁部貫通ガイドの領域では、ケーブルは配電盤キャビネット内室と、組み付け壁と側方被覆材との間に形成されたケーブル取り付け室との間に位置固定することができる。配電盤キャビネット内室における組み付け特性と、配列されるケーブルの量に応じて、組み付け壁の位置決めと、ひいてはケーブル縁部貫通ガイドの変更も行うことができる。
【０００８】
本発明の有利な変化実施例によれば、フレーム枠の、対応配置されたフレーム枠側面の水平なフレーム成形材の間に組み付け壁が配置されており、組み付け壁の少なくとも１つの水平面と、これに対応する水平のフレーム成形材との間にケーブル縁部貫通案内部が形成されていて、組み付け壁が保持体において、鉛直のフレーム成形材に対して相対的に、鉛直方向でずらすことができるようになっている。このような構成では、組み付け壁の水平の縁部にも、ケーブル縁部貫通ガイドを設けることができる。特に、組み付け壁を相応に配置し、設計するならば、組み付け壁を取り囲むケーブル貫通ガイド領域が形成される。
【０００９】
ケーブルを整列させて取り付け敷設するためには、組み付け壁が、扁平な壁区分を有しており、該壁区分には、均一なピッチで互いに間隔をおいて配置された、ケーブルコネクタ保持部分及び／又はねじ受容部から成る格子が形成されている。
【００１０】
組み付け位置を簡単に変更させるためには、組み付け壁が、両鉛直面の領域で、保持体によってフレーム枠側面の鉛直のフレーム成形材に固定されていて、保持体または組み付け壁が、組み付け壁の種々異なる固定位置に対応配置された複数の固定受容部を有している。
【００１１】
この場合、特に、保持体がプレート状の固定区分を有しており、該固定区分が組み付け壁にねじ固定されていて、固定区分にフランジが続いていて、該フランジが、鉛直のフレーム成形材の、配電盤キャビネットの内室に面した成形側面に接触しており、フランジから少なくとも１つのフックが打ち抜かれており、前記成形側面に向かって屈曲されており、成形側面に設けられた固定受容部に掛止されている。フックによって組み付け壁は簡単かつ確実にフレーム枠に掛止させることができる。フックはこの場合、安定的な支持部を形成する。
【００１２】
保持体が組み付けレールとして形成されていて、該組み付けレールが、フレーム枠側面の両鉛直フレーム成形材の間に延びていて、該フレーム成形材に位置固定されているような構成も考えられる。
【００１３】
実際の使用時には、２つのまたはそれ以上の配電盤キャビネットが互いに隣接されていることがある。互いに隣接するそれぞれの配電盤キャビネットの内室は、この場合、隣接側を介して接近可能である。侵入保護の理由から、このようなアクセスは簡単にはできない。従って、組み付け壁がその鉛直側面の１つで、対応する鉛直のフレーム成形材に接続されていることが提案されている。このようにして組み付け壁は例えば、隣接側の前面側のフレーム成形材に装着されている。キャビネットドアが開放された状態で、フロント側の不法なアクセスは確実に防止される。
【００１４】
ケーブルの案内は、組み付け壁が少なくとも１つのケーブル貫通案内部を有しており、該ケーブル貫通案内部は、配電盤キャビネット内室と、側方被覆材と組み付け壁との間に形成されたケーブル取り付け空間との間を接続するとさらに拡大される。
【００１５】
次に、本発明の実施例を図面につき詳しく説明する。
【００１６】
図１には、配電盤キャビネットのフレーム枠１０が示されている。フレーム枠１０は４つの鉛直なフレーム成形材１１と、奥行きステー１２と、横ステー１３とから組み立てられている。フレーム枠１０の角隅領域では、奥行きステー１２と横ステー１３とが鉛直なフレーム成形材１１に結合されている。この角隅領域にはねじ山付き受容部１４も設けられている。このねじ山付き受容部１４には、フレーム枠１０の上面から接近することができる。カバー側の奥行きステー１２と横ステー１３とは、閉じられた１つのフレームを形成している。このフレームはフレーム枠１０のカバー側の開口を取り囲んでいる。この開口はカバー２０によって閉じることができる。このカバー２０は、打ち抜き屈曲部分として形成され、プレート２１を有している。このプレート２１からは環状の縁部２３が面取りされている。プレート２１の角隅領域にはねじ受容部２２が配置されている。これらのねじ受容部２２は、フレーム枠１０に設けられたねじ山付き受容部１４に対して整合して配置することができる。ねじ受容部２２を貫通して、ねじ山付き受容部１４にねじ込まれる固定ねじ１５によってカバー２０はフレーム枠１０に固定される。カバー２０はプレート２１の領域に、２つの側方のケーブル貫通案内部２４を有している。ケーブル貫通案内部２４を形成するために、舌片がプレート２１から打ち抜かれ、カバー２０の下面の方向に向かって屈曲される。この舌片はケーブル受容部２５を形成する。このケーブル受容部２５からはスリット状の固定受容部２６が打ち抜かれる。これらの固定受容部２６では、配電盤キャビネットの内室に導入されるケーブルを受容することができる。これに応じて、複数のケーブルを、例えばケーブルバインダで固定受容部２６に接続することができる。２つのケーブル貫通案内部２４の間の領域には、プレート２１から別の固定受容部２７が打ち抜かれる。これらの固定受容部２７は、列状に配置されていて、互いにピッチパターンに従って間隔をおいて位置している。個々に述べると、尖った形状の固定受容部の列と、円形の打ち抜き部の列とが交互に設けられている。円形の打ち抜き部は、固定ねじを受容するために使用される。
【００１７】
フレーム枠１０は側方パネル３０によって覆われている。フロント側ではフレーム枠１０にはキャビネットドアが組み付けられる。キャビネットドアは、見易くするために図示していない。この鉛直の壁３１からは、環状に縁部３２が面取りされている。側方パネル３０は打ち抜き曲げ部材として形成でき、鉛直の壁３１を有している。側方パネル３０は鉛直のフレーム成形材１１と奥行きステー１２と横ステー１３とにねじ固定することができる。
【００１８】
側方パネル３０に対して間隔をおいて、組み付け壁４０が配電盤キャビネットの内室に固定される。このケーブル組み付け壁４０は鉛直の組み付け面として形成されていて、この組み付け面にはスリット状のケーブルコネクタ保持部４２と円形の孔とから成るグリッド（格子）が設けられている。図１により明らかであるように、組み付け壁４０には全体に、ケーブルコネクタ保持部４２と孔とが設けられている。組み付け壁４０の上側の領域には、方形状の貫通孔４３が打ち抜かれている。この貫通孔４３を介して、ケーブル組み付け壁４０と側方パネル３０との間に形成されたケーブル取り付け空間にアクセスすることができる。
【００１９】
組み付け壁４０は、面取りされた環状の縁部４１を有している。この縁部４１には鉛直方向の側の領域に切欠４１．１が設けられている。この切欠４１．１には組み付けレールを挿入することができる。この組み付けレールは詳しくは示していない。組み付けレールは固定壁で、組み付け壁４０の背面に接触し、これにねじ固定される。組み付けレールの長手方向側の端部は、鉛直のフレーム成形材１１に連結されている。組み付けレールの代わりに本発明の実施例では保持体５０が使用される。保持体５０の構成は、図２に詳しく示した。
【００２０】
図２から明らかであるように、保持体５０は、鉛直の固定区分５１を有している。この固定区分５１からフランジ５２が屈曲成形されている。このフランジ５２からはフック５３が打ち抜かれていて、保持体５０の背面の方向に屈曲されている。さらにフランジ５２には孔５４も設けられている。この固定区分５１には、固定受容部５５として形成された孔も加工成形されている。
【００２１】
組み付け壁４０をフレーム枠１０に位置固定するために、保持体５０は組み付け壁４０にねじ固定される。このために、固定区分５１の固定受容部５５は、図２に詳しく示したように、組み付け壁４０の孔に整合して配置されている。固定受容部５５を貫通し、組み付け壁４０にねじ込まれている固定ねじ５６によって、保持体５０は連結される。保持体５０がねじ固定されると、組み付け壁４０は、保持体５０のフック５３によって、鉛直のフレーム成形材１１に設けられたスリット状の固定受容部１１．３に懸吊される。このスリット状の固定受容部１１．３は、この場合、鉛直のフレーム成形材１１の成形面１１．１，１１．２に加工成形されている。鉛直のフレーム成形材１１には、スリット状の固定受容部１１．３の間に孔も設けられている。保持体５０が連結されている状態で、これらの孔は、保持体５０のフランジ５２に設けられた孔５４と整合している。固定ねじ５６によって、鉛直なフレーム成形材１１への保持体５０の付加的な位置固定を行うことができる。
【００２２】
鉛直なフレーム成形材１１は４つの成形面１１．１，１１．２を有している。この場合、これらの成形面１１．１の２つが、配電盤キャビネットの対応配置された外面に対して垂直に位置している。これらの成形面１１．１には、成形面１１．２が直角に続いており、この成形面１１．２は、対応配置された配電盤キャビネットに対して平行に位置している。図２に示したように組み付け壁４０を成形面１１．１に取り付けるのではなく、外面側の成形面１１．２に固定することもできる。これにより組み付け壁４０はより密に側方パネル３０に押し付けられ、これにより配電盤キャビネットにはより多くの取り付け空間が残される。特に、互いに間隔をおいて配置された鉛直の２つのフレーム成形材の成形面１１．１は、一貫した組み付けレールの取り付けのために使用できる。このような組み付けレールは組み付け壁４０の手前に配置されている。
【００２３】
図１からわかるように組み付け壁４０は、鉛直のフレーム成形材１１と奥行きステー１２とによって取り囲まれたフレーム領域に配置されているように寸法設定されている。組み付け壁４０の鉛直の縁部領域および水平の縁部領域と、対応配置された鉛直なフレーム成形材１１および奥行きステー１２との間には、ケーブル縁部貫通案内部４４，４５が形成されている。このケーブル縁部貫通案内部４４，４５を介して、側方パネル３０と組み付け壁４０との間に取り囲まれたケーブル取り付け空間に案内されたケーブルが配電盤キャビネットの内室に案内される。
【００２４】
図１に示したように、保持体５０の固定区分５１には、互いに平行な２つの列の固定受容部５５が形成されている。複数の列の固定受容部５５を使用することも考えられる。種々様々な列の固定受容部５５によって、組み付け壁４０は、鉛直のフレーム成形材１１に対してずらされて水平方向に位置固定することができる。これにより、ケーブル縁部貫通案内部４４，４５は可変的になる。特に組み付け壁４０は、フロント側または背面側の鉛直のフレーム成形材１１と同一平面であるように閉じられるように位置決めされており、この場合、組み付け壁４０は成形面１１．１（もしくは１１．２）に同一平面で移行している。
【００２５】
組み付け壁４０は、鉛直方向にもずらすことができ、これによりケーブル縁部貫通案内領域４４，４５を変更することができる。これにより、組み付け壁４０に成形されているシステム孔（円形の打ち抜き部）が使用される。
【００２６】
図２には、組み付け壁固定の選択的な構成も図示されている。この場合、保持体５０には一列の固定受容部５５しか設けられていない。固定受容部５５のこの列によって、組み付け壁４０を鉛直方向にずらすことができる。組み付け壁４０を水平方向でもずらすためには、組み付け壁４０のシステム孔が使用される。
【図面の簡単な説明】
【図１】組み付け壁を有した配電盤キャビネットのフレーム枠を示した部分分解斜視図である。
【図２】図１の一部を示す部分図であって、組み付け壁を固定するための保持体の異なる構成を示した分解図である。
【図１】
0003600210.tif 000002
【図２】
0003600210.tif 000003